(57)【要約】【課題】  外部から情報を得なくても単独でポンプを最適に駆動することができ、省スペース化およびコスト低減が可能な電動ポンプユニットを提供する。【解決手段】  電動ポンプユニット1は、ユニットハウジング2内に、ポンプ3、ポンプ駆動用電動モータ4およびモータ4のコントローラ5が組み込まれているものである。ユニットハウジング2にポンプ3から吐出される油の温度を検出する油温センサ9が設けられ、コントローラ5が、検出された油温に基づいてモータ4を制御する。【選択図】  図１
2010180731.tif 000002
【特許請求の範囲】
【請求項１】
ユニットハウジング内に、ポンプ、ポンプ駆動用電動モータおよびモータのコントローラが組み込まれている電動ポンプユニットにおいて、
ユニットハウジングにポンプから吐出される油の温度を検出する油温センサが設けられ、コントローラが、検出された油温に基づいてモータを制御するものであることを特徴とする電動ポンプユニット。
【請求項２】
コントローラが、油温とそれに適したモータの電流値との関係を記憶しており、この記憶情報を用い、検出された油温に応じてモータの電流を制御するものであることを特徴とする請求項１の電動ポンプユニット。
【請求項３】
コントローラが、油温とそれに適したモータの回転数との関係を記憶しており、この記憶情報を用い、検出された油温に応じてモータの回転数を制御するものであることを特徴とする請求項１の電動ポンプユニット。
【発明の詳細な説明】
【技術分野】
【０００１】
この発明は、たとえば自動車のトランスミッションなどに油圧を供給する油圧ポンプとして使用される電動ポンプユニットに関する。
【背景技術】
【０００２】
近年、自動車の油圧ポンプとして、その起動・停止をきめ細かく制御して省エネルギを図るため、また、アイドリングストップによりエンジンが停止しているときにもトランスミッションなどの駆動系への油圧供給を確保するために、電動ポンプユニットが使用されるようになっている。
【０００３】
自動車用電動ポンプユニットは、車体の限られたスペースに搭載されるため、コンパクト化が要求され、また、軽量化およびコスト低減も要求される。この要求に応える電動ポンプユニットとして、共通のユニットハウジング内にポンプ、ポンプ駆動用電動モータおよびモータのコントローラが一体に組み込まれたものが提案されている（たとえば特許文献１参照）。
【０００４】
自動車には、エンジンやトランスミッションを制御するためのコンピュータ（ＥＣＵ）が設けられており、電動ポンプユニットのコントローラは、ＥＣＵから与えられる情報に基づいてモータを制御する。
【０００５】
自動車では、電動ポンプユニットから供給される油圧あるいは油量を最適に制御する必要があるが、ポンプから吐出される油の温度によって油の粘性が変化するので、モータすなわちポンプを常に一定回転数で回転させたのでは、油の温度によって油圧あるいは油量が変わってしまう。このため、従来の自動車では、車両側のエンジンルーム内に吐出油温センサや吐出油圧センサが設けられ、ＥＣＵが、センサから得られた情報を解析し、最適なポンプ駆動を行うための情報を電動ポンプユニットのコントローラに与えている（たとえば特許文献２参照）。
【先行技術文献】
【特許文献】
【０００６】
【特許文献１】特開２００８−１５１０６５号公報
【特許文献２】特開平１０−０８９４４５号公報
【発明の概要】
【発明が解決しようとする課題】
【０００７】
上記の従来の電動ポンプユニットでは、車両側の油温センサや油圧センサからの信号を解析した情報をコントローラがＥＣＵから得なければ最適な動作ができず、車両側センサがなければ使用できないという問題がある。また、車両側に油温センサや油圧センサを設ける必要があり、そのためのスペースやコストが増える。
【０００８】
この発明の目的は、上記の問題を解決し、外部から情報を得なくても単独でポンプを最適に駆動することができ、省スペース化およびコスト低減が可能な電動ポンプユニットを提供することにある。
【課題を解決するための手段】
【０００９】
この発明による電動ポンプユニットは、ユニットハウジング内に、ポンプ、ポンプ駆動用電動モータおよびモータのコントローラが組み込まれている電動ポンプユニットにおいて、ユニットハウジングにポンプから吐出される油の温度を検出する油温センサが設けられ、コントローラが、検出された油温に基づいてモータを制御するものであることを特徴とするものである。
【００１０】
油温センサとしては、サーミスタが好適である。
【００１１】
たとえば、コントローラは、検出された油温から油の粘性を推定し、これを基に、必要な油圧あるいは油量を得るためのモータの回転数または電流値を推定し、モータを制御する。
【００１２】
このように、外部から情報を得なくても、電動ポンプユニットのユニットハウジングに設けられた油温センサにより検出された油温に基づいて、単独で、ポンプを最適に制御することができる。このため、車両側に油温センサや油圧センサが設けられていなくても、電動ポンプユニットを使用することができ、車両側センサが不要で、省スペース化およびコスト低減が可能である。
【００１３】
この発明の電動ポンプユニットにおいて、たとえば、コントローラが、油温とそれに適したモータの電流値との関係を記憶しており、この記憶情報を用い、検出された油温に応じてモータの電流を制御するものである。
【００１４】
油温とモータの電流値との関係は、たとえば、予め実験により求められ、好ましくは、マトリックスの形で記憶されている。
【００１５】
この発明の電動ポンプユニットにおいて、たとえば、コントローラが、油温とそれに適したモータの回転数との関係を記憶しており、この記憶情報を用い、検出された油温に応じてモータの回転数を制御するものである。
【００１６】
油温とモータの回転数との関係は、たとえば、予め実験により求められ、好ましくは、マトリックスの形で記憶されている。
【発明の効果】
【００１７】
この発明の電動ポンプユニットによれば、上記のように、外部から情報を得なくても単独でポンプを最適に駆動することができ、省スペース化およびコスト低減が可能である。
【図面の簡単な説明】
【００１８】
【図１】図１は、この発明の実施形態を示す電動ポンプユニットおよびそれを含む自動車の油圧系統および制御系統の構成図である。
【発明を実施するための形態】
【００１９】
以下、図面を参照して、この発明を自動車の油圧ポンプに使用される電動ポンプユニットに適用した実施形態について説明する。
【００２０】
図１は、電動ポンプユニットならびにそれに関する油圧系統および制御系統を示す構成図である。
【００２１】
電動ポンプユニット(1)は、詳細な図示は省略したが、共通のユニットハウジング(2)内にポンプ(3)、ポンプ駆動用電動モータ(4)およびモータ(4)のコントローラ(5)が組み込まれたものである。
【００２２】
コントローラ(5)には、図示しないエンジンなどを制御するコンピュータであるＥＣＵ(6)から電源だけが供給される。
【００２３】
ポンプ(3)の吐出口(3a)から吐出された油はトランスミッション(7)に供給され、トランスミッション(7)から出た油はオイルパン(8)に戻った後、吸入口(3b)からポンプ(3)内に吸入される。
【００２４】
ユニットハウジング(2)の吐出口(3a)の近傍に、ポンプ(3)から吐出される油の温度を検出する油温センサ(9)が設けられており、油温センサ(9)の出力がコントローラ(5)に入力する。油温センサ(9)は、この例では、サーミスタである。
【００２５】
コントローラ(5)には、油温とそれに適したモータ(4)の電流値との関係がマトリックスの形で記憶されている。コントローラ(5)は、このマトリックスを用い、油温センサ(9)で検出された油温に応じてモータ(4)の電流値を制御する。これにより、ポンプ(3)からトランスミッション(7)に供給される油圧あるいは油量が最適に制御される。
【００２６】
油温とモータ(4)の電流値との関係は、たとえば、常に一定の油圧あるいは油量が得られるように決められる。この関係は、予め実験により求めることができる。
【００２７】
コントローラ(5)には、油温とそれに適したモータ(4)の回転数との関係がたとえばマトリックスの形で記憶されていてもよい。この場合、コントローラ(5)は、マトリックスなどの記憶情報を用い、油温センサ(9)で検出された油温に応じてモータ(4)の回転数を制御する。油温とモータ(4)の回転数との関係は、たとえば、常に一定の油圧あるいは油量が得られるように決められる。この関係も、予め実験により求めることができる。
【００２８】
コントローラ(5)は、油温センサ(9)で検出された油温から油の粘性を推定し、これを基に、必要な油圧あるいは油量を得るためのモータ(4)の回転数または電流値を推定し、モータ(4)を制御するものであってもよい。
【００２９】
上記の電動ポンプユニット(1)では、ＥＣＵ(6)など外部から情報を得なくても、電動ポンプユニット(1)のユニットハウジング(2)に設けられた油温センサ(9)により検出された油温に基づいて、単独で、ポンプ(4)を最適に制御することができる。このため、車両側に吐出油圧センサや吐出油温センサが設けられていなくても、電動ポンプユニット(1)を使用することができ、車両側センサが不要で、省スペース化およびコスト低減が可能である。
【００３０】
電動ポンプユニットを含む自動車の油圧系統および制御系統は、上記実施形態のものに限らず、適宜変更可能である。
【００３１】
また、この発明は、自動車用電動ポンプユニット以外の電動ポンプユニットにも適用できる。
【符号の説明】
【００３２】
(1)    電動ポンプユニット
(2)    ユニットハウジング
(3)    ポンプ
(4)    電動モータ
(5)    コントローラ
(9)    油温センサ
【図１】
2010180731.tif 000003